(57)【要約】      （修正有）【課題】テストリードのケーブルが他の部材と擦れ合うことがない測定器の保護ケースを提供する。【解決手段】保護ケース１０の本体部１１には、底板部１４の上下の縁部に立設される側壁１５ａ、１５ｂと底板部１４が形成する平坦な立方形状の囲繞空間に測定器が収納される測定器の収容部と、テストリードのプローブ部が収納されるテストリードの収容部とが設けられている。側壁１５ａ、１５ｂは、底板部１４の上下方向の端部に立設されており、ふたつの側壁１５ａ、１５ｂによって、測定器の上部、下部が保持されて、測定器の収容部に測定器が収納される。【選択図】図２
2020003242.tif 000002
【特許請求の範囲】
【請求項１】
略長方形状であって、底板部に立設された側壁内の囲繞空間に測定器を収納する収容部を備えたケース本体部と、前記ケース本体部の開口面を覆う蓋部と、前記ケース本体部と前記蓋部とを連結するヒンジ部とを備えた測定器の保護ケースであって、
前記ヒンジ部の前記保護ケースの外側であって前記ヒンジ部の長手方向に一対の突起が互いに対向して空間が形成される凹部が形成され、該凹部の空間内にテストリードのケーブルが通されて収納される
ことを特徴とする測定器の保護ケース。
【請求項２】
請求項１に記載の測定器の保護ケースにおいて、
前記ヒンジ部は、長手方向の両端から前記凹部の内側に向かう切り欠きが設けられている
ことを特徴とする測定器の保護ケース。
【請求項３】
請求項１または２に記載の測定器の保護ケースにおいて、
前記凹部は、互いに先端が他方に向かって突き出した断面が舌状の突起で形成された
ことを特徴とする測定器の保護ケース。
【請求項４】
請求項１から３のいずれか１項に記載の測定器の保護ケースにおいて、
前記ケース本体部の前記ヒンジ部側の底板部に一対のテストリードのプローブ部を保持する保持部が形成された
ことを特徴とする測定器の保護ケース。
【発明の詳細な説明】
【技術分野】
【０００１】
本発明は、回路計などの測定器の保護ケースに関する。
【背景技術】
【０００２】
携帯型の回路計などの測定器は、テストリードとともに持ち運ぶ必要があることから、通常、測定器とテストリードとが携帯に便利なような測定器の保護ケースが用いられている。
図１０は、このような保護ケースの一例である。図１０は、見開き状に連結された一側カバー部１ａと他側カバー部１ｂとで保護ケース１を形成し、一側カバー部１ａの側に測定器２とテストリード７とを支持させ、他側カバー部１ｂを閉じた状態にして携行できるようにした手帳型の保護ケースを示すものである。なお、この場合、テストリード７は、プローブ８に、ケーブル（コード）９を連結して形成されているため、プローブ８と略同長となるように、ケーブル９を折り返した状態にして、たとえば面ファスナーを備えたバンドのような止着具３を用いて止められる。
一方、図１１の保護ケースは、測定器２を収納する一側カバー１ａにテストリード７を収納できる収納部を設け、ここにテストリード７を収納するとともに、この収納部にテストリード７のケーブルを巻き付けてテストリードを収納する。
図１２は、測定器と別体の保護ケースではなく、測定器２の筐体の外周側部に溝を設け、この溝内にテストリード７のケーブル９を巻き付けて収容するものである。
【先行技術文献】
【特許文献】
【０００３】
【特許文献１】特開平１０−２０６４６１号公報
【発明の概要】
【発明が解決しようとする課題】
【０００４】
図１０に示す保護ケースでは、テストリードのケーブルを折り返して収納しなければならないので、ケーブルの収納が面倒であり、また、保護ケースや測定器との脱着が面倒である。
図１１に示す保護ケースでは、保護ケースにケーブルを巻き付けるので、ケースを閉じた状態でもケーブルが保護ケースの外に露出している。このため、作業中や作業のために携行しているときに、ケーブルが外部の他の部材と擦れ合って、ケーブルが傷つくおそれがある。
また、図１２の測定器本体にケーブルを巻き付けるものでは、測定器の筐体が傷つくおそれがあり、また、コンパクトさを保つために、ケーブルの長さを短くする必要がある。
【０００５】
さらに、見開き手帳方式の図１０に示される保護ケースに測定器が収容されている場合には、テストリードのプローブ部を保護ケースから突出させて保持する保持手段がないため、２本のテストリードのプローブ部を箸をもつように、右手で持ち、左手で保護ケースをもって測定するというようなことも行われていた。また、見開きの手帳型の保護ケースでは、一体成形で製造することは難しいので、その分、安価に製造できなかった。
【０００６】
本発明は上述の課題を解決するためのもので、テストリードのケーブルが外部に露出せず、ケーブルが傷付くようなことがない保護ケースを提供することを目的とする。
【０００７】
本発明の第一の側面は、略長方形状であって、底板部に立設された側壁内の囲繞空間に測定器を収納する収容部を備えたケース本体部と、ケース本体部の開口面を覆う蓋部と、ケース本体部と蓋部とを連結するヒンジ部とを備えた測定器の保護ケースであって、ヒンジ部の保護ケースの外側であってヒンジ部の長手方向に一対の突起が互いに対向して空間が形成される凹部が形成され、該凹部の空間内にテストリードのケーブルが通されて収納されることを特徴とする。
【０００８】
また、本発明は、ヒンジ部は、長手方向の両端から凹部の内側に向かう切り欠きが設けられることができる。
【０００９】
また、本発明は、凹部は、互いに先端が他方に向かって突き出した断面が舌状の突起で形成することができる。
【００１０】
さらに、本発明は、ケース本体部の前記ヒンジ部側であって測定器を収納しない底板部に一対のテストリードのプローブ部を保持する保持部が形成されることができる。
【発明の効果】
【００１１】
本発明によれば、テストリードのケーブルは、保護ケースを閉じたときでも外部に露出することはないので、携行時などに他の部材と擦れ合って傷付くおそれがなくなる。
【図面の簡単な説明】
【００１２】
【図１】保護ケースに測定器およびテストリードが収納されている状態の斜視図である。
【図２】測定器、テストリードがない状態の保護ケースの斜視図である。
【図３】図２の保護ケースを上面からみた図である。
【図４】図２の保護ケースを裏返しにした斜視図である。
【図５】（Ａ）は、蓋部を開いた状態のケーブルを収納するヒンジ部を拡大した図であり、（Ｂ）は、ヒンジ部にケーブルを収納した状態を反対側からみた図であり、（Ｃ）は、ヒンジ部の断面を示す図であり、（Ｄ）は、ケーブルを収納して保護ケースを閉じた状態のヒンジ部の断面を示す図である。
【図６】ヒンジ部の他の実施の形態を示す図である。
【図７】１本のテストリードを保持してプローブを突出させた状態の斜視図である。
【図８】蓋部と保護ケースのバンドの構成を示す図であり、Ａは外観を示し、Ｂは断面を示す。
【図９】バンドが結合した状態を示す図である。
【図１０】従来の手帳型保護ケースを示す図である。
【図１１】従来の手帳型保護ケースを示す図である。
【図１２】従来のテストリードのケーブルを収納する例を示す図である。
【発明を実施するための形態】
【００１３】
以下図面を参照して本発明に係る測定器の保護ケースの実施形態を説明する。
図１は、測定器とテストリードとを収納して保護ケースを開いた状態を示す斜視図であり、図２は、測定器およびテストリードを収納していない状態で保護ケースを開いた状態を示す斜視図である。図３は、保護ケース１０を上面側からみた平面図である。
図１および図２に示されるように、保護ケース１０は、測定器１００が収納されるケース本体部１１と、このケース本体部１１の開口面を覆う蓋部１２と、この蓋部１２をケース本体部１１に対して開閉自在に連結するヒンジ部１３とで構成されている。
ケース本体部１１は、底板部１４と側壁１５とで形成される囲繞空間に測定器１００を収容する測定器の収容部とテストリードのプローブ部を収容するプローブ部の収容部とで構成されている。
なお、ここで、見開いた状態の保護ケース１０の底板部１４の測定器が収納されて現れる側を底板部１４の表面、裏側を底板部１４の裏面とする。また、測定器１００の表示部がある方向を保護ケースの上側とし、測定器１００の操作部がある方向を下側として、測定器１００を用いるときの視点に沿って上下という。
【００１４】
図１および図２に示すように、保護ケース１０の本体部１１には、底板部１４の上下の縁部に立設される側壁１５ａ、１５ｂと底板部１４が形成する平坦な立方形状の囲繞空間に測定器１００が収納される測定器の収容部と、テストリードのプローブ部が収納されるテストリードの収容部とが設けられている。側壁１５ａ、１５ｂは、底板部１４の上下方向の端部に立設されており、ふたつの側壁１５ａ、１５ｂによって、測定器１００の上部、下部が保持されて、測定器の収容部に測定器１００が収納される。
テストリードの収容部には、底板部１４のヒンジ部１３よりに、一対のテストリードのプローブ部１１０、１１１を保持するふたつの保持片１７ａ、１７ｂが立設されて形成されている。保持片１７ａ、１７ｂは、図３に示すように、爪状の突起で形成されたふたつの凹部によってプローブ部１１０、１１１が嵌まる形状であって、この凹部にテストリードのプローブ部１１０、１１１を嵌めることでテストリードのプローブ部１１０、１１１を保護ケース１０に保持する。
保護ケースの携行時は、図１に示すように、プローブ部１１０、１１１を先端ピン部（接触子）が保護ケース１０外には突出しないように収納している。
【００１５】
また、蓋部１２は、ケース本体部１１を覆う構造であり、開いた状態で薄板等を挿入できるポケットが設けられている。
また、保護ケース１０には、閉じるときに、底板部１４と蓋部１２とを止める止着機構が設けられている。この止着機構については後述する。
【００１６】
図４から図６を参照して、本実施の形態の特徴であるテストリードのケーブルが収納されるヒンジ部の構造を説明する。
図４は、図２に表された保護ケース１０を裏返しにした図であり、ヒンジ部１３の突起が立ち上がった状態を示している。図５（Ａ）は、ヒンジ部の端部の拡大図であり、図５（Ｂ）はヒンジ部の端部を裏返しにしたときの拡大図である。図５（Ｃ）は、ヒンジ部１３の断面を示しており、図５（Ｄ）は、ヒンジ部１３にケーブルを収納して保護ケース１０を閉じた状態の断面を表している。
【００１７】
ヒンジ部１３の外側は、半円状の断面に凹部を設けた形状のケーブル収納構造となっている。この収納構造は、図５に表されているように、断面が半円状のかまぼこ型の中心に外側に向かって開口されたコ字状の凹部を形成した形状である。保護ケース１０を閉じたとき、ヒンジ部１３は丸い背表紙に類する形状であり、この背表紙の中心に縦に凹部の溝が形成されている構造となっている。
ヒンジ部１３の断面は、図５（Ｃ）に示されるように、一方の中心角が直角に近い扇形の突起２０の作る壁面２２と、他方の同様の扇形の突起２１とが作る壁面２３とが対向し凹部２４を作る。凹部２４の底は、平坦な形状となっている。
【００１８】
また、この凹部２４のヒンジ部１３の両端には、図２や、図５（Ａ）に示されるように、保護ケース１０の中に向かって切欠き２９が設けられている。
【００１９】
さらに、底板部１４とヒンジ部１３とが連結される箇所は、保護ケースの縦方向に外側に溝２５、内側に溝２７が設けられており、その部分だけ厚さが薄くなっている。また同様に蓋部１２とヒンジ部１３との間も、同様に縦方向の溝２６、２８が設けられて、厚さが薄くなっている。この溝２５、２６、２７、２８により、保護ケース１０を閉じたり開いたりするときに開閉を容易にして、応力を小さくすることができる。
【００２０】
ここで、保護ケース１０は、軟性で柔軟性のある材料で作られている。材料としては、たとえばエラストマーやシリコーン樹脂が用いられる。柔軟性のある材料であるので、収納した測定器１００を保護することができ、測定器１００の破損を防ぐことができる。
【００２１】
次に、凹部２４へのケーブル１２０の収納について説明する。
図５（Ｄ）は、ケーブル１２０をヒンジ部１３の中と外に巻き付けて、保護ケース１０を閉じた状態のときのヒンジ部１３の様子を説明する断面図である。
テストリードを保護ケースにしまうときは、テストリードのプローブ部は、プローブ部を保持する保持片１７ａ、１７ｂに嵌めてしまうとともに、ケーブル１２０は、ヒンジ部１３に巻き付けて保持する。このとき、ヒンジ部１３の外側は、図５（Ｄ）に示されるように、ケーブル１２０は凹部２４内に収納されているので、保護ケース１０を閉じた状態でもヒンジ部１３の外部に露出することはない。また、ヒンジ部１３の上下の端でも、ケーブル１２０は、切欠き２９のところで保護ケース１０の内と外に折り返されるので、外部に露出することはない。
【００２２】
さらに、保護ケース１０は、柔軟性のある材料で作られているので、ヒンジ部１３自体が曲がることへの抵抗は小さい。また、突起２０、２１は、柔軟に曲がることができるため、凹部２４に収納されたケーブル１２０を覆うことになり、保護ケース１０を閉めたときでも、ケーブル１２０が外部に露出することはなく、他の部材と擦れ合うこともない。
【００２３】
（ヒンジ部の変形例）
図６は、ヒンジ部１３のケーブル収納構造の別の構造例を示すものである。この実施の形態では、突起２１、２２の断面は、舌状であって、その先端は、互いに接する状態となっている。図５の扇形の突起に比べて断面が薄くなっており、凹部２４の構造は、図５の例に比べると、下部が広くなり、上部は、開いていない点が異なる。このような構造であっても、舌状の突起は柔軟性のある材料でできているので、溝内にケーブルを収納することには抵抗がない。また、突起２０、２１により覆われて収納されたケーブルが外部に露出しないので、ケーブルが外部の部材と擦れ合うこともない。
【００２４】
（保護ケースの止着構造）
保護ケース１０の左右両端、底板部１１の端部、蓋部１２の端部には、それぞれ両者を止めるための止着構造が設けられている。
この止着構造は、蓋部側は、雄型の構造をしたバンド３０、底板部側は、蓋部側に嵌まる雌型の構造をしたバンド３１である。バンド３０は、図８Ａに示されているように、両側に突き出した突起３２が形成されている。一方底板部側のバンド３１は、四方に切り込みのある孔部３３が形成されている。底板部と蓋部とを止めるときは、突起３２を孔部３３に挿入して両者を結合する。図９は、保護ケースを閉じた状態を示している。
なお、逆に蓋部１２を裏返しにして、蓋部１２を底板部１１の裏側に付けて止めることができる。このときは、バンド３０の突起３２の反対側が孔部３１に挿入されることで、保護ケースを裏側で止めることができる。測定作業を行うときには、蓋部１２を底板部１１と合せて止めることで、蓋部１２を固定して、測定器１００を収納し、一つのテストリードのプローブ部を図７のように保持したまま、測定を行うことができる。これにより、蓋部１２を固定せずに、可動のまま、測定作業をする不具合は生じない。
【００２５】
この保護ケース１０に測定器１００を収納した状態で測定を行う使用方法を説明する。この例は、１本のテストリードを保護ケース１０に保持させて使用する例である。図７に示すように１本のテストリードのプローブ部１１０のバリア部を底板部１１の上側の保持片１７ａに係止させることで、テストリードのプローブ部１１０の接触子（ピン）の部分を保護ケース１０から突出した状態にすることができる。これにより、一方の手で１本のテストリードのプローブ部１１０を保護ケース１０から突出した状態で測定対象体の端子にテストリードのプローブ部１１０の接触子を接触させ、他方の手で測定対象体の他の端子にテストリードのプローブ部１１１の接触子を接触させて、測定作業を行うことができる。このような測定ができるため、２本のテストリードを一方の手でもって測定するような作業をする必要はない。
また、保護ケース１０を卓上等において、テストリードのプローブ部１１０、１１１をそれぞれ両手でもって測定対象の端子にそれぞれ接触させて測定を行うことができる。
【００２６】
なお、保護ケース１０は、上述のように、柔軟性ある材料で形成されているが、２本のテストリードのプローブ部を保持する保持片１７ａ、１７ｂは、プローブ部を嵌めて保持するものであるので、硬質の材料であってもよい。また、側壁は、測定器１００を収納するための上下に設けたが、収容部の外周縁部に設けてもよく、また、測定器の上下左右に４箇所立設するものでもよい。
さらに、蓋部は、透明な材料でもよく、また、測定器の表示部の部分が透明であってもよい。測定器の表示部がみえる状態で保護ケースを閉めて、そのままの状態で測定することができ、そのときの測定値を読み取ることが可能である。
【符号の説明】
【００２７】
１０    保護ケース
１１    ケース本体部
１２    蓋部
１３    ヒンジ部
１４    底板部
１５ａ、１５ｂ  側壁
１７ａ、１７ｂ  保持片（プローブ部の保持部）
２０、２１  突起
２２、２３  壁面
２４  凹部
２５、２６、２７、２８  溝
２９    切欠き
３０、３１  バンド
３２  突起
３３  孔
１００  測定器
１１０、１１１  プローブ部
１２０    ケーブル
【図１】
2020003242.tif 000003
【図２】
2020003242.tif 000004
【図３】
2020003242.tif 000005
【図４】
2020003242.tif 000006
【図５】
2020003242.tif 000007
【図６】
2020003242.tif 000008
【図７】
2020003242.tif 000009
【図８】
2020003242.tif 000010
【図９】
2020003242.tif 000011
【図１０】
2020003242.tif 000012
【図１１】
2020003242.tif 000013
【図１２】
2020003242.tif 000014